(57)【特許請求の範囲】
【請求項１】
真空源に連結するようになされた、真空を適用した静脈血貯留容室システムであって、
血液吸入口および血液排出口を有する封止した血液チャンバと、
チャンバの上部でつながり、真空源に連結するようになされた真空ポートと、
血液チャンバ内部の少なくとも２カ所における圧力を検知し、かつ検知した圧力に応答して、真空源によって加えられた真空量を真空ポートにおいて調節するように連結された真空制御装置とを備え、前記真空制御装置により前記血液チャンバ内の血液水準を実質的に一定に保つことを特徴とするシステム。
【請求項２】
２カ所が、血液チャンバの上部と血液チャンバの下部である、請求項１に記載のシステム。
【請求項３】
前記真空ポートと血液チャンバとの間で流体の流れを可能にする開位置と真空ポートとチャンバとの間で流体の流れを遮断する閉位置を有する弁であり、前記弁がチャンバ内の血液水準が所定の水準より以上に上昇するとき、作業者の介在なしで開位置から閉位置に移動する、請求項１に記載のシステム。
【請求項４】
前記弁がフロート弁である、請求項１に記載のシステム。
【請求項５】
前記フロート弁が、開位置と閉位置との間を移動するようになされたニードルを備える、請求項４に記載のシステム。
【発明の詳細な説明】
【０００１】
【発明の属する技術分野】
本発明は、体外循環血液回路における静脈血貯留室に関する。
【０００２】
【従来の技術】
公知のように、多くの外科的処置で、患者の血液を血液貯留室の備えられた体外循環血液回路に分流する必要がある。このような貯留室の１つは静脈血貯留室と呼ばれるものである。これは、やはり体外循環血液回路に備えられた酸素付加装置に静脈血として知られる血液を通す前に、それを収容するものである。この貯留室別の種類では、術野において回収した血液を収容するように設計され、この血液を一旦適切に濾過して患者に戻せるものがある。この種の貯留室は心臓切開貯留室として知られている。
【０００３】
従来技術の静脈血貯留室は、患者から流れてくる血液の収容を重力によって行うので、必然的にこのような貯留室を術野よりも低い高さに配置せざるを得ない。このことは、利用可能な空間が限られているということと折り合いの付かないことが多い。また重力による血液循環は必ずしも望み通りに効率的であるとは限らないことにも留意されたい。排血効率を上げる１つの方法は、貯留室の内部に真空状態を適用するものである。しかし、このような真空を適用する貯留室を心臓切開貯留室と組み合わせて、使用者が望むような特徴を有する貯留室システムを構成することは今日まで行われていない。
【０００４】
【発明が解決しようとする課題】
したがって本発明の意図は、場所の選択を制約することなく、確実に患者の血液を強力に排出する静脈血貯留室を提供することにある。このような意図の範囲内において、本発明の一目的は、心臓切開貯留室と組み合わせる静脈血貯留室を考案することである。
【０００５】
【課題を解決するための手段】
患者から血液を抜き取るための配管に連結する吸入口コネクタと、酸素付加装置に向けて血液を流出するための排出口コネクタを備える本発明による静脈血貯留室において、真空源につながる配管に連結するようになされているコネクタを上蓋に備えることを特徴とする静脈血貯留室によって、提案した目的を実現する。
【０００６】
他の特徴および利点は、添付の図面において非限定的な例としてのみ示す、本発明の好ましい一実施形態であるが、唯一ではない実施形態から明らかになろう。
【０００７】
【発明の実施の形態】
図を参照すると、参照符号１によって組合せ装置の容器を示す。容器１は、静脈血貯留室を含む第１チャンバまたは部分と心臓切開貯留室４を含む第２チャンバまたは部分を具備する。静脈血貯留室２は、心臓切開貯留室４の下方に位置し、またこれらの２つの貯留室は概ね水平な隔壁３によって分離されている。しかし、ここに開示する本発明の着想を心臓切開貯留室と組み合わせた静脈血貯留室に限定するものではなく、独立の静脈血貯留室にも等しく応用することができることを理解されたい。
【０００８】
静脈血貯留室２に、壁部６によって画定する中央領域５ａへ静脈血が流入するための吸入口コネクタ５を設ける。壁部６は、消泡物質を含みかつフィルタ６ａによって取り巻いてある。静脈血貯留室２にはまた、血液流出用の排出口コネクタ７を設ける。このように吸入口コネクタ５を介して静脈血貯留室に進入する血液を中央領域５ａに誘導する。血液は、静脈血貯留室２を退出する前に、泡および他の望ましくない物質を取り除く壁部６およびフィルタ６ａを通過する。
【０００９】
心臓切開貯留室４には、術野から流れる血液が流入するための吸入口コネクタ８を設ける。吸入口コネクタ８は、消泡物質を含む壁部９によって画定する領域８ａ中に開口する。壁部９をフィルタ９ａによって取り巻く。
【００１０】
隔壁３は、心臓切開貯留室４を静脈血貯留室２に連絡する中央開口部１０を有する。中央開口部１０を閉鎖する手段が設けてある。タブ１１ａを手で作動することによって、このように中央開口部１０を閉ざす行程下限位置（図１および２に示す）と、心臓切開貯留室内に収容した血液を抜いて下部の静脈血貯留室内へ送ることができるように開口部１０を開ける行程上限位置の間で、カラム１１を滑動させる。
【００１１】
開口部１０を閉ざしたまま、心臓切開貯留室を空にする必要があれば、カラム１１中に設けたダクト１１ｂを使用する。ダクト１１ｂの下端は、心臓切開貯留室中に開いており、開放上端を介して吸引可能である。
【００１２】
本発明の重要な特徴は、静脈血貯留室２の上蓋を含む隔壁３にコネクタ１２が設けてあり、このコネクタが、容器１の上部構造内部に形成したダクト１３の下端と連通するダクトを含む。図４で最も適切に分かるように、ダクト１３の上端が、真空源に装着した配管に連結するようになされているコネクタ１５を含む真空ポートを有する継手１４に接合する。
【００１３】
継手１４を回転可能にするねじ山付きリング１６によって、継手をダクト１３の上端に連結する。継手１４に内蔵されている安全弁１７は、真空が所望の水準を超過するのを防止する。
【００１４】
本装置の使用時は、コネクタ１５を真空源に連結することによって、静脈血貯留室２に真空を適用する。静脈血貯留室２内に真空を形成することによって、患者から流れる血液を効果的に排出することになり、これは術野に対して静脈血貯留室を配置する高さに関係なく生じる。
【００１５】
図１で最も適切に分かるように、フロート１８がコネクタ１２内部にあり、作用していない位置すなわち開放位置では（図１に示す）フレーム１９上に休止する。フロート１８にはニードル１８ａが設けてあり、フロート１８が作用している位置すなわち閉鎖位置に移動するとき、コネクタ１２をダクト１３に連絡する開口部２０を閉鎖するようになされている。静脈血貯留室２内に収容した血液がコネクタ１２に進入し、血液側の真空配管に侵入しかねない状態を引き起こす水準に達すると、血液がフロート１８を上方に移動させ、ニードル１８ａが、ダクト１３への開口部２０を閉鎖する位置になり、血液が真空配管に進入するのを防止する。
【００１６】
一旦非常事態が終息してしまうと、フロート上方に位置するダクト１３内部の空間を大気圧に一時的につなげることによって、フロート１８が、作用していない位置に復帰するのを助長する。これは、弾性リング２２を変形させて、継手１４中に設けた小さい穴２１を開放することによって達成される。この弾性リングは、通常はこの穴を塞いでいるが、使用者がタブ２２ａを手で作動することによって変形する。
【００１７】
タレット２３が、静脈血貯留室２中に開口して隔壁３から延在する。それは、容器２中に所望量の真空を維持するために通常は閉鎖してある配管に連結するために、ダクト２３ａによってコネクタ２４ａおよび２４ｂに連結されている。このタレットは、必要なときに医薬液を容器中に導入するようになされている。
【００１８】
本発明による静脈血貯留室には、その容器内部の圧力に基づいて内部に収容した血液水準を自動調節できる装置を備える制御システムが設けてある。この制御システムは、参照符号２５によって模式図として示すコンピュータを含む。この容器の底部の圧力およびその上部の負圧を絶え間なく検知してコンピュータに送る。この容器の上部および底部の圧力を、それぞれ２５ａおよび２５ａを介して検知する。コンピュータは、進入血液流量と退出血液流量の間のバランスを維持して静脈血貯留室内の血液水準を実質的に一定に保つために、検知した圧力データに基づいて容器内に存在する真空量すなわち真空度を調節する。
【００１９】
説明した本発明は、数多くの変更および変形の余地があり、それらのすべてが本発明思想の範囲内にある。したがって、例えば、容器内の血液水準を自動的に調節する装置は任意の態様で設けることが可能であり、また心臓切開貯留室を除くことができる。
【００２０】
さらには、真空配管に連結するようになされたコネクタ１５は、隔壁３に近接する容器１の壁部から分岐することが可能である。
【図面の簡単な説明】
【図１】図２の線Ｉ−Ｉに沿って取った、本発明の装置全体を示す断面図である。
【図２】図１の線ＩＩ−ＩＩに沿って取った、本発明の装置全体を示す断面図である。
【図３】異なる機能状態にある、図２の上部領域を示す拡大図である。
【図４】本発明の装置を示す詳細図である。
【符号の説明】
１  容器
２  静脈血貯留室
３  隔壁
４  心臓切開貯留室４
５  吸入口コネクタ
５ａ  中央領域
６  壁部
６ａ  フィルタ
７  排出口コネクタ
８  吸入口コネクタ
９  壁部
９ａ  フィルタ
１０  中央開口部
１１  カラム
１１ａ  ダクト
１１ｂ  ダクト
１２  コネクタ
１３  ダクト
１４  継手
１５  コネクタ
１６  ねじ山付きリング
１７  安全弁
１８  フロート
１８ａ  ニードル
１９  フレーム
２０  開口部
２１  小さい穴
２２  弾性リング
２２ａ  タブ
２３  タレット
２３ａ  ダクト
２４ａ  コネクタ
２４ｂ  コネクタ
２５  コンピュータ
【図１】
0004357190.tif 000002
【図２】
0004357190.tif 000003
【図３】
0004357190.tif 000004
【図４】
0004357190.tif 000005